(57)【特許請求の範囲】
【請求項１】
着用者の胸腹部を被う前身頃と該着用者の背部を被う後身頃とを有する身頃本体と、前記身頃本体の上端部の両側に取り付けられた両袖とから構成された使い捨て上衣において、
前記前身頃が、その上端中央部を横方向へ延びる第１襟刳り線と、前記第１襟刳り線の横方向両端から前記身頃本体の脇下へ向い下がり勾配を有して直状に延びる第１袖刳り線各々とを有し、前記後身頃が、その上端中央部を横方向へ延びる第２襟刳り線と、前記第２襟刳り線の横方向両端から前記脇下へ向い下がり勾配を有して直状に延びる第２袖刳り線各々とを有し、前記袖各々が、前記前身頃の第１袖刳り線と並行して直状に延びる第１袖付け線と、前記後身頃の第２袖刳り線と並行して直状に延びる第２袖付け線とを有し、
前記第１袖刳り線各々を前記第１襟刳り線の横方向両端から上方へ延長したときの第１延長線各々の交わる角度θ１が、前記第２袖刳り線各々を前記第２襟刳り線の横方向両端から上方へ延長したときの第２延長線各々の交わる角度θ２よりも大きく、前記角度θ１が、３５°〜１６０°の範囲にあり、前記角度θ２が、３０°〜１５５°の範囲にあり、前記第２袖刳り線各々と前記後身頃の両側縁との交差する点どうしをむすんで横方向へ延びる仮想線から上部の該後身頃の面積が、前記第１袖刳り線各々と前記前身頃の両側縁との交差する点どうしをむすんで横方向へ延びる仮想線から上部の該前身頃の面積よりも大きく、
前記前身頃の第１襟刳り線の横方向両端が、前記後身頃の第２襟刳り線の横方向両端から所要寸法離間し、前記前身頃の第１袖刳り線に非接合の前記第１袖付け線の一部が、前記第１，２襟刳り線の横方向両端の間に延び、前記前身頃の第１袖刳り線各々と前記袖各々の第１袖付け線とを一致させ、かつ、前記後身頃の第２袖刳り線各々と前記袖各々の第２袖付け線とを一致させた状態で、前記袖各々が、前記身頃本体に接合されていることを特徴とする前記上衣。
【請求項２】
前記後身頃が、前記前身頃の一方の側縁に連なる第１後身頃と前記前身頃の他方の側縁に連なる第２後身頃とから形成されている請求項１に記載の上衣。
【請求項３】
前記身頃本体と前記袖各々とが、不織布、または、不織布と熱可塑性合成樹脂シートとのラミネートシートのいずれか一方で形成されている請求項１または請求項２に記載の上衣。
【発明の詳細な説明】
【０００１】
【発明の属する技術分野】
本発明は、手術用外衣や患者用外衣、患者用寝衣等の使い捨て上衣に関する。
【０００２】
【従来の技術】
特開平６−２０７３０１号公報は、後身頃を左右に分割した身頃本体と、身頃本体の上端部の両側に取り付けられた両袖とから構成され、身頃本体をその外側から着用者の身体に締めつけるための帯片を備えた背部閉じ合わせ型の使い捨て上衣を開示している。
【０００３】
【発明が解決しようとする課題】
同号公報に開示の上衣は、身頃本体が前身頃と後身頃との上端中央部を横方向へ延びる襟刳りと、襟刳り各々の横方向両端から身頃本体の脇下へ向い下がり勾配を有して延びる袖刳りとを有し、袖各々の袖付けが身頃本体の袖刳りに沿って接合されている。上衣では、前身頃と後身頃との袖刳り各々が互いに一致、平行して直状に延びているので、袖刳りの開口が円形を呈するように袖刳りが弧を画いて延びている上衣と比較し、身頃の上部が着用者の肩周辺の丸みに適合することができない。上衣では、それを着用した着用者が腕を前方へ伸ばしたり、肘を曲げたりしたときに、後身頃の上部に局所的な張力が作用し、腕の動きが後身頃に拘束されて作業性が著しく低下してしまう。
【０００４】
本発明の課題は、身頃本体の直状に延びる袖刳りと袖各々の直状に延びる袖付けとが互いに接合されていたとしても、着用者の腕の動きが後身頃によって拘束されることはなく、作業性がよい使い捨て上衣を提供することにある。
【０００５】
【課題を解決するための手段】
前記課題を解決するための本発明は、着用者の胸腹部を被う前身頃と該着用者の背部を被う後身頃とを有する身頃本体と、前記身頃本体の上端部の両側に取り付けられた両袖とから構成された使い捨て上衣を改良することにある。
【０００６】
改良にかかる本発明の特徴は、前記前身頃が、その上端中央部を横方向へ延びる第１襟刳り線と、前記第１襟刳り線の横方向両端から前記身頃本体の脇下へ向い下がり勾配を有して直状に延びる第１袖刳り線各々とを有し、前記後身頃が、その上端中央部を横方向へ延びる第２襟刳り線と、前記第２襟刳り線の横方向両端から前記脇下へ向い下がり勾配を有して直状に延びる第２袖刳り線各々とを有し、前記袖各々が、前記前身頃の第１袖刳り線と並行して直状に延びる第１袖付け線と、前記後身頃の第２袖刳り線と並行して直状に延びる第２袖付け線とを有し、前記第１袖刳り線各々を前記第１襟刳り線の横方向両端から上方へ延長したときの第１延長線各々の交わる角度θ１が、前記第２袖刳り線各々を前記第２襟刳り線の横方向両端から上方へ延長したときの第２延長線各々の交わる角度θ２よりも大きく、前記角度θ１が、３５°〜１６０°の範囲にあり、前記角度θ２が、３０°〜１５５°の範囲にあり、前記第２袖刳り線各々と前記後身頃の両側縁との交差する点どうしをむすんで横方向へ延びる仮想線から上部の該後身頃の面積が、前記第１袖刳り線各々と前記前身頃の両側縁との交差する点どうしをむすんで横方向へ延びる仮想線から上部の該前身頃の面積よりも大きく、前記前身頃の第１襟刳り線の横方向両端が、前記後身頃の第２襟刳り線の横方向両端から所要寸法離間し、前記前身頃の第１袖刳り線に非接合の前記第１袖付け線の一部が、前記第１，２襟刳り線の横方向両端の間に延び、前記前身頃の第１袖刳り線各々と前記袖各々の第１袖付け線とを一致させ、かつ、前記後身頃の第２袖刳り線各々と前記袖各々の第２袖付け線とを一致させた状態で、前記袖各々が、前記身頃本体に接合されていることにある。
【０００７】
【０００８】
本発明の実施の態様の一例としては、前記後身頃が、前記前身頃の一方の側縁に連なる第１後身頃と前記前身頃の他方の側縁に連なる第２後身頃とから形成されている。
【０００９】
本発明の実施の態様の他の一例としては、前記身頃本体と前記袖各々とが、不織布、または、不織布と熱可塑性合成樹脂シートとのラミネートシートのいずれか一方で形成されている。
【００１０】
【発明の実施の形態】
添付の図面を参照して、本発明に係る使い捨て上衣の詳細を説明すると、以下のとおりである。
【００１１】
図１，２は、前側から見た背部閉じ合わせ型の使い捨て上衣１の斜視図と、図１の上衣１の分解平面図とであり、図１では、後身頃４を横方向外方へ開き、一方の袖５Ａを前身頃３の側に倒伏させた状態で示す。上衣１は、身頃本体２と、身頃本体２の上端部の両側に取り付けられた両袖５Ａ，５Ｂとから構成されている。着用状態にある上衣１では、図示はしていないが、身頃本体２の上端部における両袖５Ａ，５Ｂの間に首周り開口が形成され、身頃本体２の下端部に裾周り開口が形成される。
【００１２】
身頃本体２は、それぞれ別体の、着用者の胸腹部を被う前身頃３と、着用者の背部を被う後身頃４とから形成されている。両袖５Ａ，５Ｂは、袖下５ｃと袖口５ｄと袖山５ｅとを有し、袖山５ｅから袖口５ｄへ向い先細りの筒状を呈する。袖５Ａ，５Ｂ各々の袖口５ｄには、袖５Ａ，５Ｂの周り方向へ弾性伸縮性を有する袖リブ６が取り付けられている。
【００１３】
前身頃３は、互いに並行して縦方向へ延びる両側縁３ａと、互いに並行して横方向へ延びる上下端縁３ｂ，３ｃとを有する。前身頃３の上端縁３ｂには、その略中央を横方向へ第１襟刳り線３ｄが延び、第１襟刳り線３ｄの横方向両端と両側縁３ａとの間を横方向へ第１袖刳り線３ｅ各々が直状に延びている。前身頃３では、第１襟刳り線３ｄが下端縁３ｃの方向へ凸となるように弧を画き、第１袖刳り線３ｅが第１襟刳り線３ｄの横方向両端から両側縁３ａへ向い下がり勾配を有する。
【００１４】
後身頃４は、互いに並行して縦方向へ延びる両側縁４ａと、互いに並行して横方向へ延びる上下端縁４ｂ，４ｃとを有する。後身頃４の上端縁４ｂには、その略中央を横方向へ第２襟刳り線４ｄが延び、第２襟刳り線４ｄの横方向両端と両側縁４ａとの間を横方向へ第２袖刳り線４ｅ各々が直状に延びている。後身頃４では、第２襟刳り線４ｄが下端縁４ｃの方向へ凸となるように弧を画き、第２袖刳り線４ｅが第２襟刳り線４ｄの横方向両端から側縁４ａへ向い下がり勾配を有する。後身頃４は、両側縁４ａの間の寸法を二分して縦方向へ延びる縦中心線Ｙ２で切断され、第１後身頃４Ａと第２後身頃４Ｂとに分割されている。
【００１５】
後身頃４は、背部の閉じ合わせを保つための、２条の首部連結帯７Ａ，７Ｂと、２条の腰部連結帯８Ａ，８Ｂとを有する。首部連結帯７Ａ，７Ｂ各々は、それら帯７Ａ，７Ｂの一端が後身頃４の上端縁近傍４ｂに位置し、第１後身頃４Ａの外面における縦中心線Ｙ２近傍と第２後身頃４Ｂの外面における縦中心線Ｙ２近傍とに取り付けられている。腰部連結帯８Ａ，８Ｂ各々は、それら帯８Ａ，８Ｂの一端が後身頃４の腰上に位置し、第１後身頃４Ａの外面における縦中心線Ｙ２近傍と第２後身頃４Ｂの外面における縦中心線Ｙ２近傍とに取り付けられている。
【００１６】
前身頃３では、第１袖刳り線３ｅを第１襟刳り線３ｄの横方向両端から上方へ延長したときに、前身頃３の両側縁４ａの間の寸法を二分して縦方向へ延びる縦中心線Ｙ１上において第１延長線Ｘ１各々が角度θ１で交差している。後身頃４では、第２袖刳り線４ｅを第２襟刳り線４ｄの横方向両端から上方へ延長したときに、縦中心線Ｙ２上において第２延長線Ｘ２各々が角度θ２で交差している。角度θ１と角度θ２とは、角度θ１＞角度θ２の関係にある。
【００１７】
前身頃３と後身頃４とは、それら身頃３，４が互いに重なり合ったときに、前身頃３の第１袖刳り線３ｅ各々が後身頃４の第２袖刳り線４ｅ各々の内側に位置する。ゆえに、身頃本体２では、第２袖刳り線４ｅ各々と両側縁４ａとの交差する点どうしをむすんで横方向へ延びる仮想線Ｘ４から上部の後身頃４の面積Ｓ２が、第１袖刳り線３ｅ各々と両側縁３ａとの交差する点どうしをむすんで横方向へ延びる仮想線Ｘ３から上部の前身頃３の面積Ｓ１よりも大きくなる。
【００１８】
前身頃３における角度θ１は、３５°〜１６０°の範囲、後身頃３における角度θ２は、３０°〜１５５°の範囲にあることが好ましい。角度θ１が３５°未満または１６０°を超過し、かつ、角度θ２が３０°未満または１５５°を超過する場合では、上衣１を着用した着用者が腕を上下方向へ動かしたときに、前身頃３と後身頃４との上端部３ｂ，４ｂに局所的な張力が作用し、腕の上下の動きが身頃本体２に拘束されてしまうことがある。
【００１９】
袖各々５Ａ，５Ｂは、前身頃３の第１袖刳り線３ｅと並行して横方向へ延びる第１袖付け線５ａと、後身頃４の第２袖刳り線４ｅと並行して横方向へ延びる第２袖付け線５ｂとを有する。第１袖付け線５ａは、袖山中央５ｆから袖下５ｃへ向い下がり勾配を有して直状に延びている。第２袖付け線５ｂは、袖山中央５ｆから袖下５ｃへ向い下がり勾配を有して直状に延びている。
【００２０】
図３は、図２の分解平面図から身頃本体２と両袖５Ａ，５Ｂとを接合した状態で示す上衣１の平面図である。図では、前身頃３の第１袖刳り線３ｅ各々と袖５Ａ，５Ｂ各々の第１袖付け線５ａとを互いに一致させ、後身頃４の第２袖刳り線４ｅ各々と袖５Ａ，５Ｂ各々の第２袖付け線５ｂとを互いに一致させた状態で、袖５Ａ，５Ｂ各々と前後身頃３，４とが接合されている。
【００２１】
上衣１では、前身頃３の第１襟刳り線３ｄの横方向両端と後身頃４の第２襟刳り線４ｄの横方向両端とが所要の寸法離間している。それら第１，２襟刳り線３ｄ，４ｄの横方向両端の間には、前身頃３の第１袖刳り線３ｅと非接合の袖５Ａ，５Ｂ各々の第１袖付け線５ａの一部が延びている。上衣１は、図３の状態から、前身頃３と後身頃４とを重ね合わせ、前身頃３と後身頃４とをそれら身頃３，４の両側縁３ａ，４ａ近傍において接合し、袖５Ａ，５Ｂ各々の袖下５ｃを接合するとともに、袖下５ｃから横方向外方へ延びる袖リブ６の両側部を接合することで、図１の上衣１を得ることができる。
【００２２】
上衣１では、前後身頃３，４の第１，２袖刳り線３ｅ，４ｅがそれら身頃３，４の内面の側へわずかに折曲された状態で、袖５Ａ，５Ｂ各々の外面が前後身頃３，４の外面に接合されていることが好ましく、前後身頃３，４の両側縁３ａ，４ａがそれら身頃３，４の内側へわずかに折曲された状態で、それら身頃３，４の外面どうしが接合されていることが好ましい。上衣１を着用するには、着用者が両腕を上衣１の両袖５Ａ，５Ｂに通し、首部連結帯７Ａ，７Ｂと腰部連結帯８Ａ，８Ｂとを括り、第１，２後身頃４Ａ，４Ｂを連結して背部を閉じる。
【００２３】
前後身頃３，４と両袖５Ａ，４Ｂとには、熱可塑性繊維で形成したスパンレース、ニードルパンチ、メルトブローン、サーマルボンド、スパンポンド、ケミカルボンド等の不織布、または、不織布と熱可塑性合成樹脂シートとのラミネートシートを使用することができる。
【００２４】
不織布の構成繊維としては、ポリオレフィン系、ポリエステル系、ポリアミド系、の各繊維、ポリエチレン／ポリプロピレンまたはポリエステルからなるシックアンドシン型またはサドバイサイド型等の複合繊維を使用することができる。
【００２５】
不織布には、開口を形成して透湿性を向上させたもの、不織布にエンボスをかけて凹凸を形成し、クッション性を向上させたものや伸縮性を付与したものを使用することもできる。熱可塑性合成樹脂シートとしては、ポリエチレン、ポリプロピレン、ポリエステル等のプラスチックシートを使用することができる。また、高い耐水性を有するメルトブローン不織布の両シート面を、高い強度を有しかつ柔軟性に富んだスパンボンド不織布のシート面で挟んだ複合不織布（ＳＭＳ不織布）を使用することもできる。
【００２６】
上衣１では、身頃本体２が別体の前身頃３と後身頃４とから形成されているが、特開平６−２０７３０１号公報に開示された上衣１のように、前身頃３と後身頃４とが一体に形成されていてもよい。前後身頃３，４の接合や身頃３，４と両袖５Ａ，５Ｂとの接合、帯７Ａ，７Ｂ，８Ａ，８Ｂの接合や袖リブ６の接合には、ホットメルト接着剤や熱融着の技術を使用することができる。
【００２７】
上衣１は、主に外科用外衣や患者用外衣、患者用寝衣として使用され、着用者の体型を考慮してあらかじめＳ、Ｍ、Ｌ、ＬＬ等のサイズ各々を用意することができる。上衣１は、滅菌袋に収納された後、エチレンオキシド等の有機気化薬品による滅菌処理、または、電子線や放射線による滅菌処理が行われる。
【００２８】
【発明の効果】
本発明に係る使い捨て上衣によれば、第１袖刳り線を第１襟刳り線の横方向両端から上方へ延長したときの第１延長線各々の交わる角度θ１が、第２袖刳り線を第２襟刳り線の横方向両端から上方へ延長したときの第２延長線各々の交わる角度θ２よりも大きいので、第２袖刳り線各々と両側縁との交差する点どうしをむすんで横方向へ延びる仮想線から上部の後身頃の面積が、第１袖刳り線各々と両側縁との交差する点どうしをむすんで横方向へ延びる仮想線から上部の前身頃のそれよりも大きくなる。ゆえに、上衣では、着用者の肩周辺を被う後身頃の上部に、着用者の腕の動きに追従することが可能な余裕が生じ、着用者が腕を前方へ伸ばしたり、肘を曲げたりした場合でも、後身頃の上端部に局所的な張力が作用することはない。上衣は、着用者の腕の動きが後身頃に拘束されることはなく、良好な作業性を有する。
【図面の簡単な説明】
【図１】前側から見た使い捨て上衣の斜視図。
【図２】図１の上衣の分解平面図。
【図３】身頃本体と両袖とを接合した状態で示す上衣の平面図。
【符号の説明】
１            使い捨て上衣
２            身頃本体
３            前身頃
３ａ          両側縁
３ｄ          第１襟刳り線
３ｅ          第１袖刳り線
４            後身頃
４Ａ          第１後身頃
４Ｂ          第２後身頃
４ｄ          第２襟刳り線
４ｅ          第２袖刳り線
５            両袖
５ａ          第１袖付け線
５ｂ          第２袖付け線
Ｓ１          面積
Ｓ２          面積
Ｘ１          第１延長線
Ｘ２          第２延長線
θ１          角度
θ２          角度
【図１】
0003597753.tif 000002
【図２】
0003597753.tif 000003
【図３】
0003597753.tif 000004